(57)【要約】【課題】  管理対象ユーザの管理されるドメイン移行後に、当該管理対象ユーザが移行先ドメインにログオンした際に、移行元のドメインにログオンした場合の利用環境と同様の環境を用いて直ちにコンピュータを利用できる、ドメイン環境移行制御装置を提供する。【解決手段】  移行元ドメイン環境情報取得部１２が、移行元ドメインログオンＩＤ、移行元ドメイン識別情報、第１プロファイル情報格納領域の情報を一時格納領域に格納する。また移行先ドメイン環境情報取得部１３が、移行先ドメインログオンＩＤ、移行先ドメイン識別情報、第２プロファイル情報格納領域の情報を一時格納領域に格納する。第１プロファイル情報複製処理部１４が、第１プロファイル情報の格納領域に格納されている第１プロファイル情報を、第２プロファイル情報の格納領域にコピーする。【選択図】    図１
2006190156.tif 000002
【特許請求の範囲】
【請求項１】
移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得手段と、
移行先ドメイン内で管理される前記管理対象ユーザへの当該移行先ドメインへのログオンを促す画面を出力する移行先ドメインログオン処理手段と、
前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得手段と、
前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製手段と、
を備えることを特徴とするドメイン環境移行制御装置。
【請求項２】
前記第１プロファイル情報を圧縮して所定の記憶領域に記憶する第１プロファイル情報圧縮手段と、
前記圧縮の後、前記第１プロファイル情報を削除する第１プロファイル情報削除手段と、
を備えることを特徴とする請求項１に記載のドメイン環境移行制御装置。
【請求項３】
前記第１プロファイル情報複製手段は、管理者権限下でのみ動作することを特徴とする請求項１または請求項２に記載のドメイン環境移行制御装置。
【請求項４】
ドメイン環境移行制御装置におけるドメイン環境移行制御方法であって、
前記ドメイン環境移行制御装置の移行元ドメイン環境情報取得手段が、移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得過程と、
前記ドメイン環境移行制御装置の移行先ドメインログオン処理手段が、移行先ドメイン内で管理される前記管理対象ユーザへの当該移行先ドメインへのログオンを促す画面を出力する移行先ドメインログオン処理過程と、
前記ドメイン環境移行制御装置の移行先ドメイン環境情報取得手段が、前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得過程と、
前記ドメイン環境移行制御装置の第１プロファイル情報複製手段が、前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製過程と、
を有することを特徴とするドメイン環境移行制御方法。
【請求項５】
ドメイン環境移行制御装置のコンピュータに実行させるプログラムであって、
移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得処理と、
移行先ドメイン内で管理される前記管理対象ユーザへの当該移行先ドメインへのログオンを促す画面を出力する移行先ドメインログオン処理処理と、
前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得処理と、
前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製処理と、
をコンピュータに実行させるプログラム。
【請求項６】
ドメイン環境移行制御装置のコンピュータに実行させるプログラムを記録する記録媒体であって、
移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得処理と、
移行先ドメイン内で管理される前記管理対象ユーザへの当該移行先ドメインへのログオンを促す画面を出力する移行先ドメインログオン処理処理と、
前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得処理と、
前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製処理と、
をコンピュータに実行させるプログラムを記録する記録媒体。
【発明の詳細な説明】
【技術分野】
【０００１】
本発明は、通信ネットワーク上に接続されたコンピュータ群を論理的単位でまとめたドメインの間で、当該コンピュータが移行された際に、移行前のドメイン管理下における自装置の管理対象ユーザ固有の環境を、移行後のドメイン管理下における自装置の前記管理対象ユーザ固有の環境に反映させる、ドメイン環境移行制御装置およびドメイン環境移行制御方法ならびにそのプログラム、記録媒体に関する。
【背景技術】
【０００２】
通信ネットワーク上に接続されたコンピュータ群の論理的単位をドメインと呼んでいる。ここで、従来より企業などにおいては、通信ネットワークに接続されているコンピュータをドメイン単位で管理しており、例えば、企業内の組織の変更や、コンピュータで利用するＯＳ（Operating System）の変更や、コンピュータ台数の増加などに伴って、一方のドメインで管理していたコンピュータを他方のドメインに移行する作業をおこなうことがある。例えば、ＯＳにWindows（登録商標）を採用しているコンピュータであれば、ドメインコントローラＡによって管理されるドメインＡからドメインコントローラＢによって管理されるドメインＢにコンピュータＸを移行させるといった作業が行なわれる。これにより、コンピュータＸを利用していたユーザが、企業内において所属組織の変更があった場合などに、組織Ａ所属の各ユーザのコンピュータを管理するドメインＡから、組織Ｂ所属の各ユーザのコンピュータを管理するドメインＢに、コンピュータＸの管理先を移行する。これによりドメインＢで管理されているコンピュータしかアクセスのできない、当該ドメインＢで管理された他のコンピュータ上のファイルに、コンピュータＸを用いてアクセスすることができるようになる。なお、コンピュータが接続されるネットワークの環境を変更する際に、各種設定を移行先のネットワークに変更する技術が公開されている（例えば、特許文献１参照。）
【特許文献１】特開平６−８３７３４号公報
【発明の開示】
【発明が解決しようとする課題】
【０００３】
上述したような、Windows（登録商標）などのＯＳを利用したコンピュータでは、当該コンピュータを利用するユーザ毎に、コンピュータ起動後の画面の環境設定（例えば、画面に表示される図柄や画面領域に表示される情報の大きさの設定など）や、ウェブブラウザなどの個々のアプリケーションソフトウェアにおける環境設定（例えば、ウェブブラウザに設定したお気に入りウェブサイトのＵＲＬの登録設定）などのプロファイル情報を管理している。そして、ユーザがコンピュータにログオンした際には、当該コンピュータは、そのログオンしたユーザ固有の環境の設定で利用できるように、当該設定でアプリケーションを利用できるよう制御している。
【０００４】
しかしながら、上述のようなユーザ毎のコンピュータの利用環境の設定は、コンピュータにログオンする際に用いられるログオンＩＤが同じであっても、異なるドメインにログオンした場合には、ログオンしたユーザが異なるユーザであるものとして設定されているので、例えば当該コンピュータを利用するユーザをドメインＡからドメインＢに管理されるユーザとして移行した場合には、移行先のドメインＢにそのコンピュータを利用してログオンした際に、移行元のドメインＡでコンピュータを利用していた際の利用環境をドメインＢにログオンした際に直ちに利用することができないと言う問題がある。つまり、ユーザの管理先のドメインを移行した際に、ユーザは、移行先ドメインにログオンした際に、移行元のドメインにログオンした場合の利用環境と同様の環境を用いて直ぐにコンピュータを利用できないという問題が発生していた。
【０００５】
そこでこの発明は、管理対象ユーザの管理されるドメイン移行後に、当該管理対象ユーザが移行先ドメインにログオンした際に、移行元のドメインにログオンした場合の利用環境と同様の環境を用いて直ちにコンピュータを利用できる、ドメイン環境移行制御装置およびドメイン環境移行制御方法ならびにそのプログラム、記録媒体を提供することを目的としている。
【課題を解決するための手段】
【０００６】
本発明は、上述の課題を解決すべくなされたもので、移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得手段と、移行先ドメイン内で管理される前記管理対象ユーザへの当該移行先ドメインへのログオンを促す画面を出力する移行先ドメインログオン処理手段と、前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得手段と、前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製手段と、を備えることを特徴とするドメイン環境移行制御装置である。
これにより、管理されるドメインの移行後に、移行先ドメインにログオンした際に、移行元のドメインにログオンした場合の利用環境と同様の環境を用いて直ちにコンピュータを利用できる。
【０００７】
また本発明は、上記ドメイン環境移行制御装置が、前記第１プロファイル情報を圧縮して所定の記憶領域に記憶する第１プロファイル情報圧縮手段と、前記圧縮の後、前記第１プロファイル情報を削除する第１プロファイル情報削除手段と、を備えることを特徴とする。これにより、ドメインの移行後に必要のなくなった第１プロファイル情報を削除することができる。また、ドメインの移行後のプロファイル情報の設定が間違えている場合などにおいて、圧縮したプロファイル情報を確認しながら設定修正を行うことができる。
【０００８】
また本発明は、上記ドメイン環境移行制御装置が、前記第１プロファイル情報複製手段は、管理者権限下でのみ動作することを特徴とする。これにより、管理者権限でしかアクセスのできない、第２プロファイル情報の格納領域に第１プロファイル情報をコピーすることができる。
【０００９】
また本発明は、ドメイン環境移行制御装置におけるドメイン環境移行制御方法であって、前記ドメイン環境移行制御装置の移行元ドメイン環境情報取得手段が、移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得過程と、前記ドメイン環境移行制御装置の移行先ドメインログオン処理手段が、移行先ドメイン内で管理される前記管理対象ユーザへの当該移行先ドメインへのログオンを促す画面を出力する移行先ドメインログオン処理過程と、前記ドメイン環境移行制御装置の移行先ドメイン環境情報取得手段が、前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得過程と、前記ドメイン環境移行制御装置の第１プロファイル情報複製手段が、前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製過程と、を有することを特徴とするドメイン環境移行制御方法である。
【００１０】
また本発明は、ドメイン環境移行制御装置のコンピュータに実行させるプログラムであって、移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得処理と、移行先ドメイン内で管理される前記管理対象ユーザへの当該移行先ドメインへのログオンを促す画面を出力する移行先ドメインログオン処理処理と、前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得処理と、前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製処理と、をコンピュータに実行させるプログラムである。
【００１１】
また本発明は、ドメイン環境移行制御装置のコンピュータに実行させるプログラムを記録する記録媒体であって、移行元ドメイン内で管理される管理対象ユーザでの前記移行元ドメインへのログオンに基づいて、自装置における前記移行元ドメインでの前記管理対象ユーザ固有の環境を設定する第１プロファイル情報の格納領域の情報を、自装置内の一時格納領域に書き込む移行元ドメイン環境情報取得処理と、移行先ドメイン内で管理される前記管理対象ユーザへの当該移行先ドメインへのログオンを促す画面を出力する移行先ドメインログオン処理処理と、前記管理対象ユーザでの前記移行先ドメインへのログオンに基づいて、前記自装置における前記移行先ドメインでの前記管理対象ユーザ固有の環境を設定する第２プロファイル情報の格納領域の情報を、前記自装置内の前記一時格納領域に書き込む移行先ドメイン環境情報取得処理と、前記一時格納領域に書き込まれている２つの格納領域の情報を読み取り、前記第１プロファイル情報の格納領域に記録されてる前記第１プロファイル情報を、前記第２プロファイル情報格納領域に複製する第１プロファイル情報複製処理と、をコンピュータに実行させるプログラムを記録する記録媒体である。
【発明を実施するための最良の形態】
【００１２】
以下、本発明の一実施形態によるドメイン環境移行制御装置を図面を参照して説明する。図１は同実施形態によるドメイン環境移行制御装置の構成を示すブロック図である。この図において、符号１はドメイン環境移行制御装置である。このドメイン環境移行制御装置１はＰＣ（Personal Computer）やサーバにおける一部の機能を装置として表したものである。なおドメインとは、通信ネットワーク上に接続されたコンピュータ群の論理的単位である。
【００１３】
ドメイン環境移行制御装置１において、符号１１は、ドメイン環境移行制御装置１の各処理部を制御する制御部である。また１２は、移行元ドメイン環境情報取得部であり、移行元ドメイン内で管理される管理対象ユーザでの自装置へのログオンに基づいて、移行元ドメインログオン時の自装置における管理対象ユーザ固有の環境を設定する第１プロファイル情報の格納領域と、管理対象ユーザの移行元ドメインにおける識別情報とを対応付けて、一時格納領域に書き込む処理を行なう。また１３は、移行先ドメイン環境情報取得部であり、移行先ドメイン内で管理される管理対象ユーザでの自装置へのログオンに基づいて、移行先ドメインログオン時の自装置における管理対象ユーザ固有の環境を設定する第２プロファイル情報の格納領域と、管理対象ユーザの移行先ドメインにおける識別情報とを対応付けて、一時格納領域に書き込む処理を行なう。また１４は第１プロファイル情報複製処理部であり、前記第１プロファイル情報を、第２プロファイル情報の格納領域にコピーする処理を行なう。また１５は圧縮処理部であり、第１プロファイル情報の圧縮処理を行なう。また１６は削除処理部であり、第１プロファイル情報の格納領域に記録されている第１プロファイル情報を削除する処理を行なう。
【００１４】
そして、ドメイン環境移行制御装置１は、後述する処理を行なって第１プロファイル情報を第２プロファイル情報の格納領域にコピーする。これによりドメイン環境移行制御装置１は、自装置のコンピュータを利用する管理対象ユーザの管理先が移行元ドメインから移行先ドメインに移行された後、移行先ドメインにログオンして当該コンピュータを利用した際に、移行元ドメインにログオンして当該コンピュータを利用していた利用環境と同一の環境で、直ちに利用することができるよう設定する。
【００１５】
なお、コンピュータが移行元ドメインから移行先ドメインに移行されるとは、そのコンピュータを用いて移動元ドメインにログオンできるユーザを、移行先ドメインにログオンできるように設定することを言う。この設定を行うことで、そのコンピュータを用いて移行元ドメインにしかログオンできなかったユーザは移行先ドメインにもログオンできるようなる。そしてその後、移行元ドメインにログオンできないように設定すれば、ユーザは移行先ドメインにしかログオンできなくなり、これによりドメインの移行が完了する。
【００１６】
ドメインの移行には、各ドメインを管理するドメインコントローラ＜Windows（登録商標）の場合＞においてユーザの設定（ログオンＩＤやパスワード）を登録することが必要になる。ユーザはコンピュータを用いてドメインＡにログオンする際には、当該コンピュータにログオンしたいドメインＡの情報と、当該ドメインＡを管理するドメインコントローラに登録されている自身のログオンＩＤとパスワードを入力する。するとコンピュータはドメインＡを管理するドメインコントローラにログオンＩＤ名とパスワードを通知し、ドメインコントローラがそのログオンＩＤとパスワードを用いて認証を行なう。認証が成功すればドメインコントローラは、コンピュータに認証成功を通知し、これによりユーザがコンピュータを用いてドメインＡにログオンできる。
【００１７】
そして、ユーザはコンピュータを用いてドメインＡで管理された通信ネットワーク上のハードウェア資源（例えばプリンタなど）にアクセスすることが可能となる。なお、コンピュータはドメインＡへのログオンが成功した場合には、ログオンを指示したユーザの利用環境の設定で自装置を利用できるようにする。この利用環境の設定の情報（プロファイル情報）は、例えば、コンピュータ起動後の画面の環境設定（例えば、画面に表示される図柄や画面領域に表示される情報の大きさの設定など）や、ウェブブラウザなどの個々のアプリケーションソフトウェアにおける環境設定（例えば、ウェブブラウザに設定したお気に入りウェブサイトのＵＲＬの登録設定）などである。また他のユーザがそのコンピュータを用いてログオンした場合には、当該コンピュータはそのユーザの利用環境の設定で自装置を利用できるようにする。またログオンする際のログオンＩＤが同一であっても、ログオン先のドメインが異なる場合には、コンピュータはそれぞれ別の利用環境の設定で自装置を利用できるようにする。このユーザ毎の利用環境の設定でコンピュータを利用できるようにする処理は、当該コンピュータに備えられたドメイン環境移行制御装置１の機能がプロファイル情報を用いて行なう処理である。
【００１８】
図２は、ドメイン環境移行制御装置の処理フローを示す図である。
次に、ドメイン環境移行制御装置の処理フローについて図２を用いて説明する。ここで後述する処理は、移行元ドメインの管理対象ユーザであって、かつ移行先ドメインの管理対象ユーザ（以後、ユーザＡと呼ぶ）が、ドメイン環境移行制御装置１のコンピュータを用いて移行先ドメインにログオンできるよう、当該移行先ドメインを管理するドメインコントローラを設定（ユーザＡのログオンＩＤやパスワードの登録）した後に行なわれる処理である。
【００１９】
まず、ユーザＡによるドメイン環境移行制御装置１のコンピュータを用いた移行元ドメインへのログオンを制御部１１が受付ける（ステップＳ１）。この時、ユーザＡは移行元ドメインにログオンするためのログオンＩＤとパスワードの入力を行ない、また移行元ドメインの入力を行なう。そして移行元ドメインへのログオンが完了する。次にユーザＡはドメイン環境移行制御装置１にドメイン環境移行指示を行なう。すると、ドメイン環境移行制御装置１の制御部１１は、ユーザＡから入力された情報（ログオンＩＤ、パスワード、移行元ドメインの識別情報）を記憶部の所定の記憶領域に記憶する。次に、ドメイン環境移行制御装置１の制御部１１が移行元ドメイン環境情報取得部１２に、移行元ドメイン環境情報取得処理を通知する。移行元ドメイン環境情報取得部１２は、移行元ドメイン環境情報取得１のコンピュータにログオンしたユーザのログオンＩＤと、当該ユーザがログオンしたドメインの識別情報を、所定の記憶領域から読み取る。
【００２０】
次に移行元ドメイン環境情報取得部１２は、その読み取ったログオンＩＤとドメインの識別情報で特定されるプロファイル情報の格納領域の情報を自装置が保持する記憶部から読み取る。そして、移行元ドメイン環境情報取得部１２は読み取ったログオンＩＤ（以後、移行元ドメインログオンＩＤと呼ぶ）、ドメイン識別情報（以後、移行元ドメイン識別情報と呼ぶ）、プロファイル情報の格納領域の情報（以後、第１プロファイル情報格納領域の情報と呼ぶ）を、対応付けて記憶部における一時保管領域に格納しておく（ステップＳ２）。この一時保管領域は、ドメイン環境移行制御装置１のコンピュータにログオンしたどのようなユーザでもアクセスできる領域である（例えば、ＯＳの機能が備えるテンポラリのファイルやディレクトリに対応する記憶領域）。
【００２１】
次に制御部１１は移行元ドメインからログオフする処理を行なう（ステップＳ３）。そして、制御部１１は移行先ドメインにログオンするようユーザＡに促す画面を出力する（ステップＳ４）。次に、ユーザＡが移行先ドメインにログオンするためのログオンＩＤとパスワードの入力と、移行先ドメインの指定を当該画面上で行なうことで、それらログオンＩＤ、パスワード、移行先ドメインの識別情報をドメイン環境移行制御装置１が所定の記憶領域に記憶するとともに、それらの情報を用いて移行先ドメインへのログオン処理を行なう。次に、移行先ドメインへのログオンが完了すると、制御部１１は、移行先ドメイン環境情報取得部１３へ、移行先ドメイン環境情報取得の指示を行なう。すると移行先ドメイン環境情報取得部１３は、移行先ドメイン環境情報取得１のコンピュータにログオンしたユーザのログオンＩＤと、当該ユーザがログオンしたドメインの識別情報を、所定の記憶領域から読み取る。
【００２２】
次に移行先ドメイン環境情報取得部１３は、その読み取ったログオンＩＤとドメインの識別情報で特定されるプロファイル情報の格納領域の情報を自装置が保持する記憶部から読み取る。そして、移行先ドメイン環境情報取得部１３は読み取ったログオンＩＤ（以後、移行先ドメインログオンＩＤと呼ぶ）、ドメイン識別情報（以後、移行先ドメイン識別情報と呼ぶ）、プロファイル情報の格納領域の情報（以後、第２プロファイル情報格納領域の情報と呼ぶ）を対応付けて、記憶部における一時保管領域に格納しておく（ステップＳ５）。
【００２３】
次に制御部１１は、移行先ドメインからログオフする処理を行なう（ステップＳ６）。そして、制御部１１はコンピュータに管理者権限でログオンするようユーザＡに促す画面を出力する（ステップＳ７）。次に、ユーザＡが管理者権限でドメイン環境移行制御装置１のコンピュータにログオンするためのログオンＩＤとパスワードとを用いてログオンする。すると制御部１１は、第１プロファイル情報複製処理部１４に、第１プロファイル情報の第２プロファイル情報格納領域へのコピーを指示する。
【００２４】
すると、第１プロファイル情報複製処理部１４は、前述した一時保管領域から第１プロファイル情報の格納領域の情報と、第２プロファイル情報の格納領域の情報とを読み取る。そして、第１プロファイル情報の格納領域に格納されている第１プロファイル情報を、第２プロファイル情報の格納領域にコピーする（ステップＳ８）。従って、ユーザＡが移行元ドメインにログオンした際に、ユーザＡの利用環境に用いられる第１プロファイル情報が第２プロファイル情報格納領域にコピーされるので、ユーザＡが移行先ドメインにログオンした場合、当該第２プロファイル情報格納領域にコピーされた第１プロファイル情報を用いて利用環境を設定することが可能となる。これにより、ユーザＡが移行先ドメインにログオンして当該コンピュータを利用した際に、移行元ドメインにログオンして当該コンピュータを利用していた利用環境と同一の環境で、直ちにコンピュータを利用することができる。
【００２５】
また、次に、圧縮処理部１５は、第１プロファイル情報格納領域に格納されている第１プロファイル情報を圧縮し、記憶部に保存する（ステップＳ９）。そして、削除処理部１６が第１プロファイル情報を格納領域から削除する（ステップＳ１０）。これにより、余分なデータを記憶部から削除できるとともに、ドメイン環境の移行において、不都合が生じた場合に、圧縮されたプロファイル情報を伸張すれば、再度、後々、プロファイル情報の設定の確認をすることができる。
【００２６】
なお、上述のドメイン環境移行制御装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２８】
【図１】ドメイン環境移行制御装置の構成を示すブロック図である。
【図２】ドメイン環境移行制御装置の処理フローを示す図である。
【符号の説明】
【００２９】
１・・・ドメイン環境移行制御装置、１１・・・制御部、１２・・・移行元ドメイン環境情報取得部、１３・・・移行先ドメイン環境情報取得部、１４・・・第１プロファイル情報複製処理部、１５・・・圧縮処理部、１６・・・削除処理部
【図１】
2006190156.tif 000003
【図２】
2006190156.tif 000004